(57)【要約】【課題】本発明は、収納された機器のメンテナンス作業がしやすいラックの構造を提供することを目的としている。【解決手段】本発明に係るラック１の構造は、ラック１の側面に取り付けられるサイドパネルを前面側４ａと背面側４ｂとに分割し、回動動作によりそれぞれ前面側４ａと背面側４ｂを開閉可能とし、パネル４のそれぞれを施錠すると共に、施錠に用いる鍵は、扉体３に取り付けた鍵と統一し、セキュリティ機能は保持しつつ、メンテナンス作業をしやすくしたことを特徴とする。【選択図】図１
2007266348.tif 000002
【特許請求の範囲】
【請求項１】
四隅に立設された柱の間に扉体やパネルを取り付け構成される通信機器等を収納するためのラックの構造であって、前記ラックの側面に取り付けられるサイドパネルを前面側と背面側とに分割し、回動動作によりそれぞれ前面側と背面側を開閉可能とし、前記パネルのそれぞれを施錠すると共に、施錠に用いる鍵は、前記扉体に取り付けた鍵と統一することを特徴とするラックの構造。
【発明の詳細な説明】
【技術分野】
【０００１】
本発明は、四隅に立設された柱の間に扉体やパネルを取り付け構成される通信機器等を収納するためのラックの構造に関するものである。
【背景技術】
【０００２】
通信機器等を収納するラックは、従来、図６に示すように、四面をそれぞれ一枚の扉体やサイドパネル３１で施蓋していた。サイドパネル３１はラックの本体３２にねじ止めやファスナー、ラッチ錠３３等で固定していた。
【０００３】
ねじやファスナー、ラッチ錠３３では簡単に開閉ができ、本体３２に搭載されている機器を見たり触れたりすることできるので、いたずらされる虞があるので、鍵等を用いて施錠することもあった。
【特許文献１】特開２００１−３４５５８１号公報
【発明の開示】
【発明が解決しようとする課題】
【０００４】
従来のラックでは、一面を一枚の扉体やパネル３１等で施蓋するため、メンテナンスの作業で、パネル３１を外す時にはパネル３１は一面を覆っている大きさであるため、大きく重いので、大変作業しにくいものであった。
【０００５】
また、サイドパネル３１が外しやすい構造となっているため、セキュリティ性能を向上させるために施錠して対応しているが、その部品の管理が煩雑であった。
【課題を解決するための手段】
【０００６】
そこで本発明は、収納された機器のメンテナンス作業がしやすいラックの構造を提供することを目的とし、その構造は、ラックの側面に取り付けられるサイドパネルを前面側と背面側とに分割し、回動動作によりそれぞれ前面側と背面側を開閉可能とし、パネルのそれぞれを施錠すると共に、施錠に用いる鍵は、扉体に取り付けた鍵と統一することを特徴とする。
【発明の効果】
【０００７】
本発明は、ラックの側面に取り付けられるサイドパネルを前面側と背面側とに分割し、回動動作によりそれぞれ前面側と背面側を開閉可能とし、パネルのそれぞれを施錠すると共に、施錠に用いる鍵は、扉体に取り付けた鍵と統一するため、サイドパネルを外さなくてもラックの内部に搭載された機器のメンテナンス作業が簡単に行える。また、サイドパネルを前面側と背面側とに分割しそれぞれが開閉可能であるため、片側のみを開いて作業でき、前面側、背面側どちらかに配線が集中している場合に有効である。サイドパネルを取り外す場合にも、大きさ、重量が半分になるため、作業しやすくなると共に、外したサイドパネルを仮置きする場合にも省スペースとなる。さらに鍵が取り付け可能でありセキュリティも強化できる。鍵を取り付ける場合、扉体とサイドパネルの鍵を統一することで部品管理の手間も省くことができる。
【発明を実施するための最良の形態】
【０００８】
収納された機器のメンテナンス作業がしやすいラックの構造を提供するという目的を、最小の部品点数で、作業性の良さを損なわずに実現した。
【実施例１】
【０００９】
本発明に係るラックの構造の第一実施例を図１〜図２の添付図面に基づいて説明する。
【００１０】
ラック１は四隅に柱２を立設し、柱２の間を扉体３やパネル４を取り付け構成される。ラック１の側面部は前面側、背面側に二分割したサイドパネル４ａ、４ｂを取り付ける。サイドパネル４ａ、４ｂは側面の略中央部分に取り付け、それぞれ回動動作により開閉可能である。
【００１１】
サイドパネル４ａ、４ｂにはそれぞれにロック機構５を施し、施錠可能とする。扉体３に設けられるロック機構はサイドパネルに設けたロック機構と統一することで、一つの鍵で扉体とサイドパネルの施錠ができる。また、前面側サイドパネル４ａと背面側サイドパネル４ｂの突き合わせる部分は盲蓋を取り付け、サイドパネル４ａ、４ｂを取り付けている蝶番がラック１の外側から見えず、触れることができないようにする。サイドパネル４ａ、４ｂは、鍵により開錠しないと、ラック１のサイドパネル４ａ、４ｂは開放できず、開放されないと取り外すこともできない構造となっているため、セキュリティ性も保持できる。
【００１２】
通信機器等は、ラック１の内部に設けられたアングルに固定し搭載する。一般的にはラック１の前面側に機器の操作面がくるため、ラック１の前面側に扉体３が設けられる。また、機器の背面側で配線されることが多い。その背面側の配線部分のメンテナンス作業を行うためには、背面側サイドパネル４ｂを開放するだけでよいので、容易に行える。
【００１３】
従来、ラック１の側面からの作業は、サイドパネル４ａ、４ｂを外して行うため、大型のパネルを取り外す作業が大変であったが、本発明においては、パネル４を分割しさらに回動動作により開閉可能としたため、作業を省力化することができる。また、従来外したパネルを仮置きする場所を確保しなくてはならなかったが、本発明においては、サイドパネル４ａ、４ｂは回動動作により開閉可能としたため、取り外さず、仮置きも不要となった。
【実施例２】
【００１４】
サイドパネルの取り付け方法については、上記実施例１に記載のものに限定するものではなく、図３に示すように、サイドパネル６ａ、６ｂは側面の左右端部にそれぞれ取り付け、二枚のサイドパネル６ａ、６ｂを観音開きにすることもできる。この場合、二枚のサイドパネル６ａ、６ｂはそれぞれの端部を重ね合わせることができるため、ロック機構７は一つで二枚のサイドパネルを施錠することができる。
【実施例３】
【００１５】
また、図４〜図５に示すように、サイドパネル８は、ラック９の天板１０から底板１１方向へ複数分割も可能である。
【産業上の利用可能性】
【００１６】
ラックのサイドパネルをラックに蝶着することで回動動作により開閉可能とし、ラックの搭載機器のメンテナンス作業の際にサイドパネルを外す作業を省力化すると共に、それぞれのサイドパネルを施錠可能としたことでセキュリティ性も保持する。
【図面の簡単な説明】
【００１７】
【図１】本発明に係るラックの構造を示す説明図である。（実施例１）
【図２】本発明に係るラックの構造を示す説明図である。（実施例１）
【図３】本発明に係るラックの構造を示す説明図である。（実施例２）
【図４】本発明に係るラックの構造を示す説明図である。（実施例３）
【図５】本発明に係るラックの構造を示す説明図である。（実施例３）
【図６】従来のラックの構造を示す説明図である。
【符号の説明】
【００１８】
１    ラック
２    柱
３    扉体
４    パネル
４ａ  前面側サイドパネル
４ｂ  背面側サイドパネル
５    ロック機構
６    サイドパネル
７    ロック機構
８    サイドパネル
９    ラック
１０  天板
１１  底板
【図１】
2007266348.tif 000003
【図２】
2007266348.tif 000004
【図３】
2007266348.tif 000005
【図４】
2007266348.tif 000006
【図５】
2007266348.tif 000007
【図６】
2007266348.tif 000008